(57)【要約】  一対の電極間に有機発光機能層が挟持された有機電界発光素子を有する発光素子パネルと、交流電源に接続された給電電極を有する給電装置とを備え、前記発光素子パネルは、前記一対の電極に接続された電極層からなる一対の受電電極を備え、前記給電装置は、前記受電電極に対応して前記給電電極が配置されたもので、当該受電電極と当該給電電極との間の電界結合により、前記有機電界発光素子に電力を供給する給電発光システムである。
2017094816.tif 000002
【特許請求の範囲】
【請求項１】
一対の電極間に有機発光機能層が挟持された有機電界発光素子を有する発光素子パネルと、交流電源に接続された給電電極を有する給電装置とを備え、
前記発光素子パネルは、前記一対の電極に接続された電極層からなる一対の受電電極を備え、
前記給電装置は、前記受電電極に対応して前記給電電極が配置されたもので、当該受電電極と当該給電電極との間の電界結合により、前記有機電界発光素子に電力を供給する
給電発光システム。
【請求項２】
前記発光素子パネルは、前記一対の電極のうちの一方をアノードとし他方をカソードとした２つの前記有機電界発光素子を有し、
前記有機電界発光素子のうち一方の有機電界発光素子のアノードと他方の有機電界発光素子のカソードとが接続され、
前記有機電界発光素子のうち一方の有機電界発光素子のカソードと他方の有機電界発光素子のアノードとが接続されている
請求項１記載の給電発光システム。
【請求項３】
前記有機電界発光素子の一対の電極は、前記有機発光機能層に対するアノードとカソードとであり、
前記電極層からなる一対の受電電極のうちの一方の受電電極は、前記一対の電極のうちの一方から延設され、
前記電極層からなる一対の受電電極のうちの他方の受電電極は、前記一対の電極のうちの他方に対して別体の電極層として形成され、
前記別体の電極層からなる受電電極と、前記一対の電極のうちの一方の電極との間、および他方の電極との間に、前記有機電界発光素子に対して順方向にダイオードが直列に接続されている
請求項１記載の給電発光システム。
【請求項４】
前記発光素子パネルは、前記一対の電極のうちの一方をアノードとし他方をカソードとした２つの前記有機電界発光素子を有し、
前記有機電界発光素子のうち一方の有機電界発光素子のアノードと他方の有機電界発光素子のカソードとの間に順方向にダイオードが直列に接続され、
前記有機電界発光素子のうち一方の有機電界発光素子のカソードと他方の有機電界発光素子のアノードとの間に順方向にダイオードが直列に接続され、
前記２つの有機電界発光素子のアノードまたはカソードの何れかが、前記一対の受電電極を構成している
請求項１記載の給電発光システム。
【請求項５】
前記発光素子パネルは、前記一対の電極のうちの一方をアノードとし他方をカソードとした２つの前記有機電界発光素子を有し、
前記有機電界発光素子のうち一方の有機電界発光素子のアノードと他方の有機電界発光素子のカソードとの間に順方向に２つのダイオードが直列に接続され、
前記有機電界発光素子のうち一方の有機電界発光素子のカソードと他方の有機電界発光素子のアノードとの間に順方向に２つのダイオードが直列に接続され、
前記一対の受電電極は、前記２つの有機電界発光素子のアノードまたはカソードの何れかに接続された２つの電極層と、前記各２つのダイオードの間に接続された２つの電極層との４つに分割され、一方向に対してずらした位置に配置されている
請求項１記載の給電発光システム。
【請求項６】
前記２つの有機電界発光素子のアノードまたはカソードの何れかに接続された２つの電極層と、前記各２つのダイオードの間に接続された２つの電極層とは、前記一方向に交互に配置されている
請求項５記載の給電発光システム。
【請求項７】
前記発光素子パネルは、前記有機電界発光素子の一対の電極間に、順方向に直列に接続された４つのダイオードを備え、
前記一対の受電電極は、前記４つのダイオード間に接続された４つの電極層に分割され、一方向に対してずらした位置に配置され、
前記４つの電極層のうちの１つは、前記有機電界発光素子の一対の電極のうち何れか一方である
請求項１記載の給電発光システム。
【請求項８】
前記発光素子パネルは、前記一対の電極のうちの一方をアノードとし他方をカソードとした２つの前記有機電界発光素子を有し、
前記有機電界発光素子のうち一方の有機電界発光素子のアノードと他方の有機電界発光素子のカソードとの間に順方向にダイオードが直列に接続され、
前記有機電界発光素子のうち一方の有機電界発光素子のカソードと他方の有機電界発光素子のアノードとの間に順方向にダイオードが直列に接続され、
前記一対の受電電極は、前記２つの有機電界発光素子のアノードおよびカソードのそれぞれに接続された４つの電極層に分割され、一方向に対してずらした位置に配置されている
請求項１記載の給電発光システム。
【請求項９】
前記ダイオードは、ショットキーダイオードである
請求項３〜８の何れか１項に記載の給電発光システム。
【請求項１０】
前記発光素子パネルは、前記有機電界発光素子を覆って設けられた封止層と、当該封止層上に設けられたシールド層とを有し、
前記有機電界発光素子を構成する前記一対の電極のうちの何れかが、前記シールド層に接続され、当該シールド層と共に前記一対の受電電極のいずれか一方を構成している
請求項１〜９の何れか１項に記載の給電発光システム。
【請求項１１】
前記交流電源と前記給電電極との間に、マッチング回路が設けられた
請求項１〜１０の何れか1項に記載の給電発光システム。
【請求項１２】
前記給電電極は、前記交流電源のホット側電極とアース側電極とであり、
前記給電装置は、複数の前記ホット側電極と複数の前記アース側電極とを交互に複数配置してなる
請求項１〜１１の何れか1項に記載の給電発光システム。
【請求項１３】
一対の電極間に有機発光機能層が挟持された有機電界発光素子と、
前記一対の電極に接続された電極層からなる一対の受電電極とを備え、
交流電源に接続された給電電極と前記一対の受電電極との間の電界結合により、前記有機電界発光素子に電力が供給されて発光する発光素子パネル。
【請求項１４】
有機電界発光素子を有する発光素子パネルに設けられた一対の受電電極に対応して交流電源に接続された給電電極が配置され、
前記受電電極と前記給電電極との間の電界結合により、前記有機電界発光素子に電力を供給する
給電装置。
【発明の詳細な説明】
【技術分野】
【０００１】
本発明は、給電発光システム、発光素子パネル、および給電装置に関し、特には有機電界発光素子を用いた発光素子パネルに対してワイヤレス給電による発光を行うための給電発光システム、これに用いる発光素子パネル、及び給電装置に関する。
【背景技術】
【０００２】
携帯電話機や携帯音楽プレーヤー等の小型電子機器においては、ワイヤレス給電システムが注目を集めている。ワイヤレス給電システムでは、例えば、給電装置のプレート上に携帯電話機などの受電装置を載置することにより、給電装置と受電装置とをケーブルなどで互いに接続することなく、受電装置に対して給電を行うことが可能である。【０００３】
このようなワイヤレス給電システムの一例として、給電装置は給電面に給電コイル部を備え、これに対応して受電装置は受電コイル部を備え、磁気結合によって給電装置から受電装置側に電力を伝送する構成が開示されている（例えば下記特許文献１参照）。
【先行技術文献】
【特許文献】
【０００４】
【特許文献１】特開２０１５−８０３０２号公報
【発明の概要】
【発明が解決しようとする課題】
【０００５】
ところで、近年、画像表示や照明に用いるための装置として、有機電界発光素子を用いた発光素子パネルが注目されている。有機電界発光素子は、陽極層と陰極層との間に有機発光機能層を挟持させた構成であって、パネルの薄型化に対して有利である。しかしながら、このような発光素子パネルに対して、上述した磁気結合によるワイヤレス給電システムを適用すると、受電コイルによってパネルの薄型化が損なわれると言った問題がある。【０００６】
そこで本発明は、発光素子パネルの薄型化を維持することが可能な給電発光システム、この給電発光システムに用いる発光素子パネル、および給電装置を提供することを目的とする。
【課題を解決するための手段】
【０００７】
上記の目的を達成するための本発明は、一対の電極間に有機発光機能層が挟持された有機電界発光素子を有する発光素子パネルと、交流電源に接続された給電電極を有する給電装置とを備え、前記発光素子パネルは、前記一対の電極に接続された電極層からなる一対の受電電極を備え、前記給電装置は、前記受電電極に対応して前記給電電極が配置されたもので、当該受電電極と当該給電電極との間の電界結合により、前記有機電界発光素子に電力を供給する給電発光システムである。
【発明の効果】
【０００８】
本発明によれば、発光素子パネルの薄型化を維持することが可能な給電発光システム、この給電発光システムに用いる発光素子パネル、および給電装置を提供することが可能である。
【図面の簡単な説明】
【０００９】
【図１】第１実施形態の給電発光システムを示す回路図である。
【図２】第１実施形態の給電発光システムを示す断面模式図である。
【図３】第１実施形態の給電発光システムに用いる発光素子パネルの平面模式図である。
【図４】第１実施形態の給電発光システムに用いる給電装置の平面模式図である。
【図５】第１実施形態の給電発光システムにおける発光特性を示すグラフである。
【図６】第１実施形態の給電発光システムの変形例を示す平面模式図である。
【図７】第２実施形態の給電発光システムを示す回路図である。
【図８】第２実施形態の給電発光システムに用いる発光素子パネルの平面模式図である。
【図９】第２実施形態の給電発光システムによる発光素子パネルの発光特性を示すグラフである。
【図１０】第２実施形態の給電発光システムの変形例を示す断面模式図である。
【図１１】第２実施形態の給電発光システムに用いる発光素子パネルの変形例を示す平面模式図である。
【図１２】第３実施形態の給電発光システムを示す回路図である。
【図１３】第３実施形態の給電発光システムに用いる発光素子パネルの平面模式図である。
【図１４】第４実施形態の給電発光システムを示す回路図である。
【図１５】第４実施形態の給電発光システムに用いる発光素子パネルの平面模式図である。
【図１６】第４実施形態の給電発光システムの変形例を示す回路図である。
【図１７】第５実施形態の給電発光システムを示す断面模式図である。
【図１８】第５実施形態の給電発光システムに用いる発光素子パネルの平面模式図である。
【図１９】第６実施形態の給電発光システムを説明する平面模式図である。
【図２０】第７実施形態の給電発光システムを説明する平面模式図である。
【図２１】第８実施形態の給電発光システムを説明する平面模式図である。
【発明を実施するための形態】
【００１０】
以下、本発明の給電発光システム、発光素子パネル、および給電装置の実施の形態を図面に基づいて説明する。尚、各実施形態において共通の構成要素には同一の符号を付し、重複する説明は省略する。
【００１１】
≪第１実施形態≫
図１は、第１実施形態の給電発光システム１を示す回路図である。また図２は第１実施形態の給電発光システム１を示す断面模式図である。これらの図に示す給電発光システム１は、有機電界発光素子ＥＬを用いた発光素子パネル１０に対して、ワイヤレス給電を行うためのシステムであり、発光素子パネル１０と給電装置１００とで構成される。以下、これらの構成要素の詳細を説明し、その後、給電発光システム１による給電を説明する。
【００１２】
＜発光素子パネル１０＞
図３は、第１実施形態の給電発光システム１に用いる発光素子パネル１０の平面模式図であり、先の図２は図３のＡ−Ａ断面に相当する断面模式図となっている。図１〜図３に示す第１実施形態の発光素子パネル１０は、透明基板１１の一主面上に、有機電界発光素子ＥＬと、有機電界発光素子ＥＬから取り出された１対の受電電極ＥＬａ，ＥＬｂとを備えている。また有機電界発光素子ＥＬは、透明基板１１と、封止層１５およびシールド層１６との間に封止されている。
【００１３】
［有機電界発光素子ＥＬ］
有機電界発光素子ＥＬは、透明基板１１側から順に、透明電極１２、有機発光機能層１３、および対向電極１４を積層した構成である。一対の電極である透明電極１２と対向電極１４とは、これらの間に挟持された有機発光機能層１３によって絶縁されている。このような有機電界発光素子ＥＬは寄生容量Ｃelを有する。
【００１４】
また透明電極１２および対向電極１４は、有機発光機能層１３に対して何れか一方がアノードとして用いられ、何れか他方がカソードとして用いられる電極層である。例えばここでは、透明電極１２がアノード、対向電極１４がカソードとして構成されていることとして説明を行うが、逆であってもよい。
【００１５】
これらの透明電極１２および対向電極１４は、有機電界発光素子ＥＬから透明基板１１の周縁側に、端子１２ａ，１４ａとして延設されている。この場合、図３の平面模式図に示すように、透明電極１２には、より導電性の高い材料で構成された別体の電極層からなる端子１２ａが接続されていてもよい。
【００１６】
以上のような構成の有機電界発光素子ＥＬは、透明電極１２と対向電極１４との間に有機発光機能層１３が挟持された部分が発光領域となり、この発光領域で発生した光が透明電極１２および透明基板１１を透過して外部に取り出される。
【００１７】
［受電電極ＥＬａ，ＥＬｂ］
受電電極ＥＬａ，ＥＬｂは、有機電界発光素子ＥＬの透明電極１２および対向電極１４から透明基板１１の周縁側に延設された端子１２ａ，１４ａのうち、特に次に説明するシールド層１６から露出している部分によって構成される。図３の平面模式図に示すように、これらの受電電極ＥＬａ，ＥＬｂは、平面視的に等しい面積を有していることが好ましく、例えば透明基板１１上に一対の受電電極ＥＬａと受電電極ＥＬｂとが、平行に配置されていることとする。
【００１８】
［封止層１５］
封止層１５は、有機電界発光素子ＥＬの有機発光機能層１３を覆う状態で設けられている。この封止層１５は、透明電極１２と対向電極１４とを短絡させることのないように、少なくとも最下層が絶縁性材料で構成されていればよい。尚、封止層１５が電磁波遮蔽効果の小さい材料のみで構成されている場合、封止層１５は、受電電極ＥＬａ，ＥＬｂを覆って設けられていてもよい。
【００１９】
［シールド層１６］
シールド層１６は、封止層１５を介して有機電界発光素子ＥＬの上部に設けられた電磁波遮蔽用の層である。このシールド層１６は、受電電極ＥＬａ，ＥＬｂを露出させる状態で設けられており、端子１２ａ，１４ａのうち、このシールド層１６で覆われていない部分が受電電極ＥＬａ，ＥＬｂとなる。
【００２０】
以上のようなシールド層１６は、封止層１５の一部を構成していてもよい。この場合、一例としてアルミニウムのような金属フィルム材料で構成されることがこのましい。
【００２１】
＜給電装置１００＞
図４は、第１実施形態の給電発光システム１に用いる給電装置１００の平面模式図である。図１、図２および図４に示す第１実施形態の給電装置１００は、先に説明した発光素子パネル１０と組み合わせて用いられるものである。この給電装置１００は、装置基体１００ａ、交流電源１０１、マッチング回路１０３、および一対の給電電極１０５ａ，１０５ｂを備えている。
【００２２】
［装置基体１００ａ］
装置基体１００ａは、発光素子パネル１０に対して給電を行う際に、発光素子パネル１０が載置される程度の大きさの載置面を有する。この装置基体１００ａには、交流電源１０１およびマッチング回路１０３が搭載され、また載置面上には給電電極１０５ａ，１０５ｂが配置される。
【００２３】
［交流電源１０１］
交流電源１０１は、例えば１３．５６ＭＨｚの高周波（ＲＦ）電源であり、アース側電極とホット側電極とを有する。
【００２４】
［マッチング回路１０３（図１参照）］
マッチング回路１０３（図１参照）は、交流電源１０１と、交流電源１０１に接続された一対の給電電極１０５ａ，１０５ｂとの間に設けられている。このマッチング回路１０３は、伝送線路の特性インピーダンスと給電電極１０５ａ，１０５ｂ以降の回路インピーダンスを整合させるためのインピーダンスマッチング回路であって、図１に示すように例えば２つのコンデンサーＣ１，Ｃ２と、１つのインダクタＬとで構成されている。
【００２５】
［給電電極１０５ａ，１０５ｂ］
給電電極１０５ａ，１０５ｂは、マッチング回路１０３を介して交流電源１０１の両極に接続されている。これらの給電電極１０５ａ，１０５ｂは、交流電源１０１のホット側電極（ホット側の給電電極１０５ａ）と、アース側電極（アース側の給電電極１０５ｂ）である。これらのホット側の給電電極１０５ａとアース側の給電電極１０５ｂとは、発光素子パネル１０の受電電極ＥＬａ，ＥＬｂに対応し、互いに平行を保って装置基体１００ａの載置面上に設けられている。
【００２６】
また給電電極１０５ａ，１０５ｂは、受電電極ＥＬａ，ＥＬｂの配置ピッチと同程度の配置ピッチで平行に配置されていることとする。尚、給電電極１０５ａ，１０５ｂは、平面視的に等しい幅および面積を有していることが好ましいが、これに限定されることはない。
【００２７】
＜給電発光システム１による給電＞
以上のような構成の発光素子パネル１０および給電装置１００で構成された給電発光システム１においては、次のようにして発光素子パネル１０への給電がなされる。
【００２８】
すなわち、給電装置１００を用いて発光素子パネル１０への給電を実施するには、給電装置１００の交流電源１０１をオンの状態とする。そして、図２に示すように、給電装置１００の給電電極１０５ａ，１０５ｂと、発光素子パネル１０の受電電極ＥＬａ，ＥＬｂとが、一対一で対向するように、給電装置１００の装置基体１００ａ上に発光素子パネル１０を載置する。
【００２９】
これにより、給電装置１００の給電電極１０５ａ，１０５ｂと、発光素子パネル１０の受電電極ＥＬａ，ＥＬｂとの間に電界Ｅが発生し、有機電界発光素子ＥＬに対して順方向の電界が発生した場合に、有機電界発光素子ＥＬが発光する。
【００３０】
図５は、給電発光システム１における発光特性を示すグラフであり、横軸が時間［ｔ］、縦軸が発光強度［Ｉ］である。図５に示すように、給電発光システム１においては、交流電源１０１からの電圧の供給が、有機電界発光素子ＥＬに対して順方向となった場合に、有機電界発光素子ＥＬが発光する。
【００３１】
＜第１実施形態の効果＞
以上説明した第１実施形態の給電発光システム１、発光素子パネル１０、および給電装置１００は、有機電界発光素子ＥＬを構成する透明電極１２と対向電極１４の端子１２ａ，１４ａを受電電極ＥＬａ，ＥＬｂとして用い、電界結合によるワイヤレス給電によって有機電界発光素子ＥＬを発光させる構成である。このため、発光素子パネル１０側および給電装置１００側に、コイル等を設ける必要がなく、発光素子パネル１０および給電装置１００の薄型化、さらには給電発光システム１の薄型化を維持することが可能である。
【００３２】
≪第１実施形態の変形例≫
図６は、第１実施形態の給電発光システム１の変形例を示す平面模式図である。図６に示す変形例の給電発光システム１’は、給電装置１００’の構成が特徴的である。
【００３３】
＜給電装置１００’＞
給電装置１００’は、装置基体１００ａ上に、ホット側の給電電極１０５ａと、アース側の給電電極１０５ｂとを、交互に複数配置した構成であり、交流電源１０１およびマッチング回路１０３の構成は第１実施形態と同様である。
【００３４】
この場合であっても、各給電電極１０５ａ，１０５ｂは、受電電極ＥＬａ，ＥＬｂの配置ピッチと同程度の配置ピッチで平行に配置されていることとする。また、給電電極１０５ａ，１０５ｂは、平面視的に等しい幅および面積を有していることが好ましいが、これに限定されることはない。
【００３５】
このような給電装置１００’を用いることにより、第１実施形態で説明したと同様の構成を有する複数の発光素子パネル１０ａ〜１０に対して給電を実施して各有機電界発光素子ＥＬを発光させることができる。この場合、図示した発光素子パネル１０ａ，１０ｂのように、それぞれの受電電極ＥＬａ，ＥＬｂを、給電装置１００’の給電電極１０５ａ，１０５ｂに対して、一対一で対応させる状態で、給電装置１００’上に載置する。これにより、これら複数の発光素子パネル１０を発光させることができる。一方、発光素子パネル１０ｃ，１０ｄのように、受電電極ＥＬａ，ＥＬｂが、給電装置１００’の給電電極１０５ａ，１０５ｂに対して、一対一で対応していない場合、給電装置１００’上の発光素子パネル１０ｃ，１０ｄは発光しない。
【００３６】
尚、この変形例は、以降に説明する各実施形態との組み合わせも可能である。
【００３７】
≪第２実施形態≫
図７は、第２実施形態の給電発光システム２を示す回路図である。この図に示す給電発光システム２が、図１を用いて説明した給電発光システム１と異なるところは、発光素子パネル２０の構成にあり、他の構成は同様である。このため、ここでは発光素子パネル２０の構成を説明する。
【００３８】
＜発光素子パネル２０＞
図８は、第２実施形態の給電発光システム２に用いる発光素子パネル２０の平面模式図である。図７および図８に示す第２実施形態の発光素子パネル２０は、透明基板１１の一主面上に、２つの有機電界発光素子ＥＬ１、ＥＬ２と、これらの有機電界発光素子ＥＬ１，ＥＬ２から取り出された１対の受電電極ＥＬａ，ＥＬｂとを備えている。これらの有機電界発光素子ＥＬ１，ＥＬ２が、透明基板１１と、封止層１５およびシールド層１６との間に封止されていることは、第１実施形態と同様である。
【００３９】
［有機電界発光素子ＥＬ１，ＥＬ２］
有機電界発光素子ＥＬ１，ＥＬ２は、それぞれが第１実施形態で説明した有機電界発光素子ＥＬと同様の積層構成であり、透明基板１１側から順に、透明電極１２、有機発光機能層１３、および対向電極１４を積層した構成である。透明電極１２と対向電極１４とは、有機発光機能層１３によって絶縁された状態で配置されており、寄生容量Ｃelを有する。
【００４０】
これらの有機電界発光素子ＥＬ１，ＥＬ２は、接続された状態で設けられている。すなわち図７の回路図に示すように、有機電界発光素子ＥＬ１のアノードと、有機電界発光素子ＥＬ２のカソードとが接続され、２つの受電電極ＥＬａ，ＥＬｂのうちの何れか一方、ここでは受電電極ＥＬａに接続されている。また有機電界発光素子ＥＬ１のカソードと、有機電界発光素子ＥＬ２のアノードとが、２つの受電電極ＥＬａ，ＥＬｂのうちの何れか他方、ここでは受電電極ＥＬｂに接続されている。
【００４１】
また、図８の平面図に示すように、これらの有機電界発光素子ＥＬ１，ＥＬ２の透明電極１２および対向電極１４は、何れか一方がアノードとして用いられ、何れか他方がカソードとして用いられることは第１実施形態と同様であり、それぞれの透明電極１２がアノード、対向電極１４がカソードとして構成されていることとする。
【００４２】
この場合、有機電界発光素子ＥＬ１の透明電極１２と、有機電界発光素子ＥＬ２の対向電極１４とが接続された状態となる。また、有機電界発光素子ＥＬ１の対向電極１４と有機電界発光素子ＥＬ２の透明電極１２とが接続された状態となる。尚、この場合、図８のＡ−Ａ断面は、第１実施形態で説明した図２と同様である。
【００４３】
以上のような有機電界発光素子ＥＬ１，ＥＬ２の透明電極１２および対向電極１４は、透明基板１１の周縁側に、端子１２ａ，１４ａとして引き出されており、各透明電極１２には、より導電性の高い材料で構成された別体の端子１２ａが接続されていてもよいことは、第１実施形態と同様である。
【００４４】
［受電電極ＥＬａ，ＥＬｂ］
受電電極ＥＬａ，ＥＬｂは、各有機電界発光素子ＥＬ１，ＥＬ２の透明電極１２および対向電極１４から透明基板１１の周縁側に延設された端子１２ａ，１４ａのうち、シールド層１６から露出している部分によって構成されこと、および平面視的に等しい面積を有していることが好ましく、例えば透明基板１１上に平行に配置されていることは、第１実施形態と同様である。ただし、接続状態にある有機電界発光素子ＥＬ１のアノードと有機電界発光素子ＥＬ２のカソードとが、一方の受電電極ＥＬａを構成し、また接続状態にある有機電界発光素子ＥＬ１のカソードと有機電界発光素子ＥＬ２のアノードとが、他方の受電電極ＥＬｂを構成するところが、第１実施形態とは異なる。
【００４５】
＜給電発光システム２による給電＞
以上のような構成の発光素子パネル２０および給電装置１００で構成された給電発光システム２における発光素子パネル２０への給電は、第１実施形態と同様に実施される。すなわち、給電装置１００の交流電源１０１をオンの状態とする。そして、図７に示すように、給電装置１００の給電電極１０５ａ，１０５ｂと、発光素子パネル２０の受電電極ＥＬａ，ＥＬｂとが、一対一で対向するように、給電装置１００の装置基体１００ａ上に発光素子パネル２０を載置する。
【００４６】
これにより、給電装置１００の給電電極１０５ａ，１０５ｂと、発光素子パネル２０の受電電極ＥＬａ，ＥＬｂとの間に電界Ｅが発生し、有機電界発光素子ＥＬ１，ＥＬ２のそれぞれに対して順方向の電界が発生した場合に、有機電界発光素子ＥＬ１，ＥＬ２が発光する。ここで、有機電界発光素子ＥＬ１と有機電界発光素子ＥＬ２とは、受電電極ＥＬａ，ＥＬｂに対してアノードとカソードとを逆方向に接続した構成である。このため、これらの有機電界発光素子ＥＬ１，ＥＬ２は、交互に発光することになる。
【００４７】
図９は、給電発光システム１における発光特性を示すグラフであり、横軸が時間［ｔ］、縦軸が発光強度［Ｉ］である。図９に示すように、給電発光システム２においては、有機電界発光素子ＥＬ１，ＥＬ２が、１３．５６ＭＨｚの周期で交互に発光する。
【００４８】
＜第２実施形態の効果＞
以上説明した第２実施形態の給電発光システム２、発光素子パネル２０、および給電装置１００は、有機電界発光素子ＥＬ１，ＥＬ２を構成する透明電極１２と対向電極１４の端子１２ａ，１４ａを、受電電極ＥＬａ，ＥＬｂとして用いている。これにより第１実施形態と同様に、ワイヤレス給電による有機電界発光素子ＥＬ１，ＥＬ２の発光を実現するに際し、発光素子パネル２０側および給電装置１００側に、コイル等を設ける必要がなく、発光素子パネル２０および給電装置１００の薄型化、さらには給電発光システム２の薄型化を維持することが可能である。
【００４９】
さらに、有機電界発光素子ＥＬ１，ＥＬ２のアノードとカソードとを、受電電極ＥＬａ，ＥＬｂに対して逆方向に接続した構成であるため、交流電源１０１からの交流電圧の極性の入れ替わりに応じて、有機電界発光素子ＥＬ１，ＥＬ２を交互に発光させることができる。このため、交流電源１０１から供給される電力を効率的に利用した発光が可能になる。
【００５０】
≪第２実施形態の変形例≫
図１０は、第２実施形態の給電発光システムの変形例を示す断面模式図である。また図１１、第２実施形態の給電発光システムに用いる発光素子パネルの変形例を示す平面模式図である。尚、図１０は、図１１におけるＡ−Ａ断面に相当する部分の断面模式図である。
【００５１】
これらの図に示す給電発光システム２’は、図７および図８を用いて説明した第２実施形態の変形例であり、発光素子パネル２０’の構成に特徴がある。
【００５２】
＜発光素子パネル２０’＞
すなわち発光素子パネル２０’は、２つの有機電界発光素子ＥＬ１，ＥＬ２における透明電極１２の端子１２ａ（アノード）が、それぞれの有機電界発光素子ＥＬ１，ＥＬ２に対して独立して設けられたシールド層１６に接続されたものである。これにより、端子１２ａとシールド層１６とで、受電電極ＥＬａ”，ＥＬｂ”が構成されている。この場合、シールド層１６は、有機電界発光素子ＥＬ１，ＥＬ２をそれぞれ独立に覆う形状であると共に、それぞれが対向電極１４から引き出された端子１４ａまでを覆う形状であることとする。
【００５３】
＜給電発光システム２’による給電＞
以上のような構成の発光素子パネル２０’および給電装置１００で構成された給電発光システム２’における発光素子パネル２０’への給電は、第１実施形態と同様に実施される。すなわち、給電装置１００の交流電源１０１をオンの状態とする。そして、図１０に示すように、給電装置１００の給電電極１０５ａ，１０５ｂと、発光素子パネル５０の受電電極ＥＬａ”，ＥＬｂ”とが、一対一で対向するように、給電装置１００の装置基体１００ａ上に発光素子パネル２０’を載置する。
【００５４】
これにより、第２実施形態と同様に、２つの有機電界発光素子ＥＬ１，ＥＬ２から、絶え間なく連続的な発光を得ることができる。
【００５５】
＜第２実施形態の変形例の効果＞
以上説明した第２実施形態の変形例の給電発光システム２’、発光素子パネル２０’、および給電装置１００は、発光素子パネル２０’において、２つの有機電界発光素子ＥＬ１，ＥＬ２間を接続する端子１２ａ，１４ａと、シールド層１６とを接続して受電電極ＥＬａ”，ＥＬｂ”とした構成である。このため、発光素子パネル５０の受電電極ＥＬａ”，ＥＬｂ”の電極面を広くし、受電電極ＥＬａ”，ＥＬｂ”と給電電極１０５ａ，１０５ｂとの間に生じる電界Ｅの強度を高めることができる。これにより高輝度で有機電界発光素子ＥＬ１，ＥＬ２を発光させることが可能になる。
【００５６】
≪第３実施形態≫
図１２は、第３実施形態の給電発光システム３を示す回路図である。この図に示す給電発光システム３が、図１を用いて説明した給電発光システム１と異なるところは、発光素子パネル３０の構成にあり、他の構成は同様である。このため、ここでは発光素子パネル３０の構成を説明する。
【００５７】
＜発光素子パネル３０＞
図１３は、第３実施形態の給電発光システム３に用いる発光素子パネル３０の平面模式図である。図１２および図１３に示す第３実施形態の発光素子パネル３０は、有機電界発光素子ＥＬの他に、２つのダイオードＤ１，Ｄ２を備えている。また有機電界発光素子ＥＬから取り出された１対の受電電極ＥＬａ，ＥＬｂ’の一方が、有機電界発光素子ＥＬとは別体の電極層として構成されているところが特徴的である。有機電界発光素子ＥＬの構成は、第１実施形態と同様であるためここでは、受電電極ＥＬａ，ＥＬｂ’および２つのダイオードＤ１，Ｄ２について説明する。
【００５８】
［受電電極ＥＬａ，ＥＬｂ’］
受電電極ＥＬａ，ＥＬｂ’は、何れか一方が、有機電界発光素子ＥＬの透明電極１２または対向電極１４から透明基板１１の周縁側に延設された一方の端子によって構成されたものである。ここでは一例として、透明電極１２から引き出された端子１２ａにおいて、シールド層１６から露出している部分によって受電電極ＥＬａが構成されている。
【００５９】
また受電電極ＥＬａ，ＥＬｂ’は、何れか他方が、有機電界発光素子ＥＬの透明電極１２または対向電極１４から透明基板１１の周縁側に延設された他方の端子に、ダイオードＤ１を介して接続された電極層部分によって構成されたものである。ここでは一例として、対向電極１４から引き出された端子１４ａに対して、ダイオードＤ１を介して接続された電極層によって受電電極ＥＬｂ’が構成されている。このような受電電極ＥＬｂ’は、有機電界発光素子ＥＬが設けられた透明基板１１上に、電極層としてパターン形成されものである。
【００６０】
これらの受電電極ＥＬａ，ＥＬｂ’は、平面視的に等しい面積を有していることが好ましい。また、有機電界発光素子ＥＬの対向電極１４から引き出された端子１４ａは、受電電極として用いられることはない。このため、シールド層１６は、有機電界発光素子ＥＬの対向電極１４から引き出された端子１４ａまでを覆う形状であることが好ましい。
【００６１】
［ダイオードＤ１，Ｄ２］
発光素子パネル３０を構成するダイオードＤ１，Ｄ２は、有機電界発光素子ＥＬと２つの受電電極ＥＬａ，ＥＬｂ’との間に配置されている。例えば、一方のダイオードＤ１は、有機電界発光素子ＥＬの対向電極１４によって構成されたカソードと、受電電極ＥＬｂ’との間に、有機電界発光素子ＥＬに対して順方向に接続される状態で設けられている。また他方のダイオードＤ２は、２つの受電電極ＥＬａと受電電極ＥＬｂ’との間に、有機電界発光素子ＥＬおよびダイオードＤ１に対して順方向に接続された状態で設けられている。
【００６２】
以上のようなダイオードＤ１，Ｄ２は、ショットキーダイオードであり、透明基板１１上に形成された配線層によって、有機電界発光素子ＥＬおよび２つの受電電極ＥＬａ，ＥＬｂ’に対して接続された状態となっている。またこれらのダイオードＤ１，Ｄ２は、有機電界発光素子ＥＬが設けられた透明基板１１上に形成されたものであってもよく、また有機電界発光素子ＥＬが設けられた透明基板１１に対して外付けされたものであってもよい。
【００６３】
＜給電発光システム３による給電＞
以上のような構成の発光素子パネル３０および給電装置１００で構成された給電発光システム３における発光素子パネル３０への給電は、第１実施形態と同様に実施される。すなわち、給電装置１００の交流電源１０１をオンの状態とする。そして、図１２に示すように、給電装置１００の給電電極１０５ａ，１０５ｂと、発光素子パネル３０の受電電極ＥＬａ，ＥＬｂ’とが、一対一で対向するように、給電装置１００の装置基体１００ａ上に発光素子パネル３０を載置する。
【００６４】
これにより、給電装置１００の給電電極１０５ａ，１０５ｂと、発光素子パネル３０の受電電極ＥＬａ，ＥＬｂ’との間に、１３．５６ＭＨｚの周期で交互に逆向きの電界Ｅが発生する。この際、発光素子パネル３０に設けた２つのダイオードＤ１，Ｄ２の整流作用により、受電電極ＥＬａ，ＥＬｂ’に対して順方向電圧が印加された場合と、逆方向電圧が印加された場合の両方において、有機電界発光素子ＥＬに対して順方向の電圧が印加されて有機電界発光素子ＥＬが発光する。
【００６５】
これにより、先の図９のグラフに示されるように、１つの有機電界発光素子ＥＬから、連続的な発光を得ることができる。
【００６６】
＜第３実施形態の効果＞
以上説明した第３実施形態の給電発光システム３、発光素子パネル３０、および給電装置１００は、第１実施形態の構成において、有機電界発光素子ＥＬを２つのダイオードＤ１，Ｄ２で構成された整流回路に組み込んだ構成である。このため、第１実施形態の効果に加えて、交流電源１０１から供給される電力を効率的に利用した発光を可能とする効果を得ることができる。
【００６７】
≪第４実施形態≫
図１４は、第４実施形態の給電発光システム４を示す回路図である。この図に示す給電発光システム４は、図１２を用いて説明した第３実施形態の変形例であり、発光素子パネル４０に２つの有機電界発光素子ＥＬ１，ＥＬ２を設けたものである。他の構成は第３実施形態と同様である。このため、ここでは発光素子パネル４０の構成を説明する。
【００６８】
＜発光素子パネル４０＞
図１５は、第４実施形態の給電発光システム４に用いる発光素子パネル４０の平面模式図である。図１４および図１５に示す第４実施形態の発光素子パネル４０は、２つの有機電界発光素子ＥＬ１，ＥＬ２と、２つのダイオードＤ１，Ｄ２を備えている。有機電界発光素子ＥＬ１，ＥＬ２の構成は、第１実施形態で説明した有機電界発光素子ＥＬと同様の構成である。また２つのダイオードＤ１，Ｄ２は、第３実施形態で説明したダイオードＤ１，Ｄ２と同様の構成である。
【００６９】
そして発光素子パネル４０において、これらの有機電界発光素子ＥＬ１，ＥＬ２およびダイオードＤ１，Ｄ２は、透明電極１１上に形成された配線層によって、整流回路を構成するように接続されている。すなわち、有機電界発光素子ＥＬ１，ＥＬ２およびダイオードＤ１，Ｄ２は、２つの有機電界発光素子ＥＬ１，ＥＬ２間を、ダイオードＤ１，Ｄ２によって順方向に直列接続させることにより整流回路を構成している。詳しくは、有機電界発光素子ＥＬ１のアノードと有機電界発光素子ＥＬ２のカソードとの間に順方向にダイオードＤ２が直列に接続されている。また有機電界発光素子ＥＬ２のカソードと有機電界発光素子ＥＬ１のアノードとの間に順方向にダイオードＤ１が直列に接続されている。
【００７０】
そして、有機電界発光素子ＥＬ１のアノードとダイオードＤ２のカソードとを、一方の受電電極ＥＬａとしている。一方、有機電界発光素子ＥＬ２のアノードとダイオードＤ１のカソードとを、他方の受電電極ＥＬｂとしている。
【００７１】
一例として、有機電界発光素子ＥＬ１，ＥＬ２のアノードが、透明電極１２で構成されている場合、有機電界発光素子ＥＬ１，ＥＬ２の透明電極１２から引き出された端子１２ａにおいて、シールド層１６から露出している部分によって受電電極ＥＬａ，ＥＬｂが構成されている。
【００７２】
この場合であっても、図１５の平面模式図に示すように、これらの受電電極ＥＬａ，ＥＬｂは、平面視的に等しい面積を有していることが好ましい。
【００７３】
また、有機電界発光素子ＥＬ１，ＥＬ２の対向電極１４から引き出された端子１４ａは、受電電極として用いられることはない。このため、シールド層１６は、有機電界発光素子ＥＬ１，ＥＬ２の対向電極１４から引き出された端子１４ａまでを覆う形状であることが好ましい。
【００７４】
＜給電発光システム４による給電＞
以上のような構成の発光素子パネル４０および給電装置１００で構成された給電発光システム４における発光素子パネル４０への給電は、第１実施形態と同様に実施される。すなわち、給電装置１００の交流電源１０１をオンの状態とする。そして、図１４に示すように、給電装置１００の給電電極１０５ａ，１０５ｂと、発光素子パネル４０の受電電極ＥＬａ，ＥＬｂとが、一対一で対向するように、給電装置１００の装置基体１００ａ上に発光素子パネル４０を載置する。
【００７５】
これにより、給電装置１００の給電電極１０５ａ，１０５ｂと、発光素子パネル４０の受電電極ＥＬａ，ＥＬｂとの間に、１３．５６ＭＨｚの周期で交互に逆向きの電界Ｅが発生する。この際、発光素子パネル４０に設けた２つのダイオードＤ１，Ｄ２の整流作用により、受電電極ＥＬａ，ＥＬｂに対して順方向電圧が印加された場合と、逆方向電圧が印加された場合の両方において、有機電界発光素子ＥＬ１，ＥＬ２に対して順方向の電圧が印加されて有機電界発光素子ＥＬ１，ＥＬ２が発光する。
【００７６】
これにより、先の図９のグラフに示されるように、２つの有機電界発光素子ＥＬ１，ＥＬ２から、連続的な発光を得ることができる。
【００７７】
＜第４実施形態の効果＞
以上説明した第４実施形態の給電発光システム４、発光素子パネル４０、および給電装置１００は、２つの有機電界発光素子ＥＬ１，ＥＬ２と２つのダイオードＤ１，Ｄ２とで整流回路を構成している。このため、第３実施形態と同様に、交流電源１０１から供給される電力を効率的に利用した発光を可能とする効果を得ることができ、さらに第３実施形態の給電発光システム３と比較して、有機電界発光素子ＥＬ１，ＥＬ２の合計で高輝度の発光を得ることができる。
【００７８】
≪第４実施形態の変形例≫
図１６は、第４実施形態の給電発光システム４の変形例を示す回路図である。図１６に示す変形例の給電発光システム４’は、２つの有機電界発光素子ＥＬ１，ＥＬ２のカソード側の電極を、受電電極ＥＬａ，ＥＬｂとした構成である。そして、有機電界発光素子ＥＬ１，ＥＬ２およびダイオードＤ１，Ｄ２は、２つの有機電界発光素子ＥＬ１，ＥＬ２間を、ダイオードＤ１，Ｄ２によって順方向に直列接続させることにより整流回路を構成していることは第４実施形態と同様である。
【００７９】
このような構成の給電発光システム４’であっても、第４実施形態の給電発光システム４と同様の効果を得ることができる。
【００８０】
≪第５実施形態≫
図１７は、第５実施形態の給電発光システム５を示す断面模式図である。また図１８は、第５実施形態の給電発光システム５に用いる発光素子パネル５０の平面模式図である。尚、図１７は、図１８におけるＡ−Ａ断面に相当する部分の断面模式図である。
【００８１】
これらの図に示す給電発光システム５は、図１４および図１５を用いて説明した第４実施形態の変形例であり、発光素子パネル５０の構成に特徴がある。
【００８２】
＜発光素子パネル５０＞
すなわち発光素子パネル５０は、２つの有機電界発光素子ＥＬ１，ＥＬ２における透明電極１２の端子１２ａ（アノード）が、それぞれの有機電界発光素子ＥＬ１，ＥＬ２に対して独立して設けられたシールド層１６に接続されたものである。これにより、端子１２ａとシールド層１６とで、受電電極ＥＬａ”，ＥＬｂ”が構成されている。この場合、シールド層１６は、有機電界発光素子ＥＬ１，ＥＬ２をそれぞれ独立に覆う形状であると共に、それぞれが対向電極１４から引き出された端子１４ａまでを覆う形状であることが好ましい。
【００８３】
＜給電発光システム５による給電＞
以上のような構成の発光素子パネル５０および給電装置１００で構成された給電発光システム５における発光素子パネル５０への給電は、第１実施形態と同様に実施される。すなわち、給電装置１００の交流電源１０１をオンの状態とする。そして、図１７に示すように、給電装置１００の給電電極１０５ａ，１０５ｂと、発光素子パネル５０の受電電極ＥＬａ”，ＥＬｂ”とが、一対一で対向するように、給電装置１００の装置基体１００ａ上に発光素子パネル５０を載置する。
【００８４】
これにより、第４実施形態と同様に、２つの有機電界発光素子ＥＬ１，ＥＬ２から、絶え間なく連続的な発光を得ることができる。
【００８５】
＜第５実施形態の効果＞
以上説明した第５実施形態の給電発光システム５、発光素子パネル５０、および給電装置１００は、発光素子パネル５０において端子１２ａとシールド層１６とを接続して受電電極ＥＬａ”，ＥＬｂ”とした構成である。このため、発光素子パネル５０の受電電極ＥＬａ”，ＥＬｂ”の電極面を広くし、受電電極ＥＬａ”，ＥＬｂ”と給電電極１０５ａ，１０５ｂとの間に生じる電界Ｅの強度を高めることができる。これにより高輝度で有機電界発光素子ＥＬ１，ＥＬ２を発光させることが可能になる。
【００８６】
≪第６実施形態≫
図１９は、第６実施形態の給電発光システム６を説明する平面模式図である。この図に示す第６実施形態の給電発光システム６が、図１を用いて説明した給電発光システム１と異なるところは、発光素子パネル６０の構成および給電装置１００”の構成にある。以下、発光素子パネル６０の構成と、これに対応する給電装置１００”の構成を説明する。
【００８７】
＜発光素子パネル６０＞
図１９に示す第６実施形態の発光素子パネル６０は、２つの有機電界発光素子ＥＬ１，ＥＬ２と、４つのダイオードＤ１〜Ｄ４を備えている。有機電界発光素子ＥＬ１，ＥＬ２の構成は、第１実施形態で説明した有機電界発光素子ＥＬと同様の構成である。また４つのダイオードＤ１〜Ｄ４は、第３実施形態で説明したダイオードＤ１，Ｄ２と同様の構成である。
【００８８】
そして発光素子パネル６０において、これらの有機電界発光素子ＥＬ１，ＥＬ２およびダイオードＤ１〜Ｄ４は、透明電極１１上に形成された配線層によって、整流回路を構成するように接続されている。すなわち、有機電界発光素子ＥＬ１，ＥＬ２およびダイオードＤ１〜Ｄ４は、２つの有機電界発光素子ＥＬ１，ＥＬ２間を、ダイオードＤ１〜Ｄ４によって順方向に直列接続させることにより、整流回路を構成している。
【００８９】
詳しくは、有機電界発光素子ＥＬ１のアノードと有機電界発光素子ＥＬ２のカソードとの間に、順方向に２つのダイオードＤ１，Ｄ２が直列に接続されている。さらに有機電界発光素子ＥＬ１のカソードと有機電界発光素子ＥＬ２のアノードとの間に順方向に２つのダイオードＤ３，Ｄ４が直列に接続されている。
【００９０】
そして、有機電界発光素子ＥＬ１，ＥＬ２のアノードに接続された各電極層が受電電極ＥＬａ，ＥＬｃを構成している。さらに２つのダイオードＤ１，Ｄ２の間に接続された電極層が受電電極ＥＬｂを構成し、他の２つのダイオードＤ３，Ｄ４間に接続された電極層が受電電極ＥＬｄを構成している。ここでは、給電装置１００”に設けられたホット側の給電電極１０５ａとアース側の給電電極１０５ｂとに対応する一対の受電電極が、４つの受電電極ＥＬａ〜ＥＬｄに分割されているのである。
【００９１】
これらの受電電極ＥＬａ〜ＥＬｄは、一方向の幅が同程度の電極層によって構成され、一方向に配列されている。その配置状態は、有機電界発光素子ＥＬ１，ＥＬ２のアノードに接続された受電電極ＥＬａ，ＥＬｃと、各２つのダイオードＤ１，Ｄ２の間およびダイオードＤ３，Ｄ４の間に接続された受電電極ＥＬｂ，ＥＬｄとが、一方向に対して交互に配置された状態である。尚、図面においては、受電電極ＥＬａ〜ＥＬｄを一方向に配列した構成を図示したが、これらの受電電極ＥＬａ〜ＥＬｄは、一方向にずらして配置されていればよく、素子のレイアウトによっては、多方向にもずらして配置されていてもよい。
【００９２】
＜給電装置１００”＞
図１９に示す給電装置１００”は、装置基体１００ａ上に、ホット側の給電電極１０５ａと、アース側の給電電極１０５ｂとを、交互に複数配置した構成であり、交流電源１０１およびマッチング回路１０３の構成は第１実施形態と同様である。
【００９３】
ここで特徴的なことは、各給電電極１０５ａ，１０５ｂの配置ピッチである。各給電電極１０５ａ，１０５ｂの配置ピッチは、受電電極ＥＬａ〜ＥＬｄの配置ピッチの２倍程度であることとする。また、各給電電極１０５ａ，１０５ｂは、平面視的に等しい幅を有していることが好ましい。
【００９４】
＜給電発光システム６による給電＞
以上のような構成の発光素子パネル６０および給電装置１００”で構成された給電発光システム６における発光素子パネル６０への給電は、第１実施形態と同様に実施される。すなわち、給電装置１００”の交流電源１０１をオンの状態とする。そして、図１９に示すように、給電装置１００”の装置基体１００ａ上に発光素子パネル６０を載置する。
【００９５】
この場合、給電装置１００”における給電電極１０５ａ，１０５ｂの配列方向と、発光素子パネル６０における受電電極ＥＬａ〜ＥＬｄの配列方向とを一致させることが重要である。これにより、給電装置１００”の給電電極１０５ａ，１０５ｂと、発光素子パネル６０の受電電極ＥＬａ〜Ｅｄとの間に電界Ｅが発生し、交流電源１０１から供給される交流電圧の周期にあわせて、有機電界発光素子ＥＬ１，ＥＬ２の何れかに対して順方向の電流が流れた場合に発光が生じる。
【００９６】
図１９には、一例としてホット側の給電電極１０５ａにマイナス（−）、アース側の給電電極１０５ｂに（＋）が印加されている状態を示す。この図に示すように、給電電極１０５ａ，１０５ｂの配列方向と受電電極ＥＬａ〜ＥＬｄの配列方向とが一致していれば、図中の破線で示すルートで整流回路に電流が流れ、有機電界発光素子ＥＬ１，ＥＬ２の何れか一方が発光する。
【００９７】
この場合、図中の破線で示すルート以外にも電流が流れる場合があるが、ルート間の抵抗の差により、より抵抗が大きい破線で示したルートで放電が持続するため、破線のルートがメインの電流ルートとなる。例えば、表示素子パネル６０ｂの場合、受電電極ＥＬｃと受電電極ＥＬｄとの間にも電流が流れる。また表示素子パネル６０ｄの場合、受電電極ＥＬａと受電電極ＥＬｂとの間にも電流が流れる。しかしながら、これらの電流ルートは、破線で示したルートよりも抵抗が小さいため、放電が早く終了して電流が流れなくなるのである。
【００９８】
＜第６実施形態の効果＞
以上説明した第６実施形態の給電発光システム６、発光素子パネル６０、および給電装置１００”であっても、他の実施形態と同様に発光素子パネル６０側および給電装置１００”側に、コイル等を設ける必要がなく、発光素子パネル６０および給電装置１００”の薄型化、さらには給電発光システム６の薄型化を維持することが可能である。さらに、この給電発光システム６では、給電装置１００”対する発光素子パネル６０の載置状態の自由度が高い。
【００９９】
≪第７実施形態≫
図２０は、第７実施形態の給電発光システム７を説明する平面模式図である。この図に示す第７実施形態の給電発光システム７が、図１９を用いて説明した第６実施形態の給電発光システム６と異なるところは、発光素子パネル７０に有機電界発光素子ＥＬを１つのみ設けたところにあり、他の構成は第６実施形態と同様である。このため、ここでは発光素子パネル７０の構成を説明する。
【０１００】
＜発光素子パネル７０＞
図２０に示す第７実施形態の発光素子パネル７０は、１つの有機電界発光素子ＥＬと、４つのダイオードＤ１〜Ｄ４を備えている。有機電界発光素子ＥＬの構成は、第１実施形態で説明した有機電界発光素子ＥＬと同様の構成である。また４つのダイオードＤ１〜Ｄ４は、第３実施形態で説明したダイオードＤ１，Ｄ２と同様の構成である。
【０１０１】
これらの有機電界発光素子ＥＬおよびダイオードＤ１〜Ｄ４は、透明電極１１上に形成された配線層によって、整流回路を構成するように接続されている。すなわち、有機電界発光素子ＥＬの一対の電極、すなわちアノードとカソードとの間を、ダイオードＤ１〜Ｄ４によって順方向に直列接続させることにより、整流回路を構成している。
【０１０２】
そして、ダイオードＤ１〜Ｄ４の間に接続された４つの電極層が、受電電極ＥＬａ〜ＥＬｄを構成している。ここでは、給電装置１００”に設けられたホット側の給電電極１０５ａとアース側の給電電極１０５ｂとに対応する一対の受電電極が、４つの受電電極ＥＬａ〜ＥＬｄに分割されているのである。４つの電極層のうちの１つは、有機電界発光素子ＥＬのアノードまたはカソードのうち何れか一方であり、図示した例ではアノードである。
【０１０３】
これらの受電電極ＥＬａ〜ＥＬｄは、一方向の幅が同程度の電極層によって構成され、一方向に配列されている。その配置状態は、有機電界発光素子ＥＬのカソードに接続された受電電極ＥＬｃと、有機電界発光素子ＥＬのアノード側に接続された２つのダイオードＤ１，Ｄ２間に接続された受電電極ＥＬｂとを、他の受電電極ＥＬａ，ＥＬｄで挟むように一方向に配置された状態である。尚、図面においては、受電電極ＥＬａ〜ＥＬｄを一方向に配列して構成を図示したが、これらの受電電極ＥＬａ〜ＥＬｄは、一方向にずらして配置されていればよく、素子のレイアウトによっては、多方向にもずらして配置されていてもよい。
【０１０４】
＜給電発光システム７による給電＞
以上のような構成の発光素子パネル７０および給電装置１００”で構成された給電発光システム７における発光素子パネル７０への給電は、第６実施形態と同様に実施される。
【０１０５】
＜第７実施形態の効果＞
以上説明した第７実施形態の給電発光システム７、発光素子パネル７０、および給電装置１００”であっても、第６実施形態と同様の効果を得ることができる。
【０１０６】
≪第８実施形態≫
図２１は、第８実施形態の給電発光システム８を説明する平面模式図である。この図に示す第８実施形態の給電発光システム８が、図１９を用いて説明した第６実施形態の給電発光システム６と異なるところは、発光素子パネル８０に２つの有機電界発光素子ＥＬ１，ＥＬ２と、２つのダイオードＤ１，Ｄ２を設けたところにあり、他の構成は第６実施形態と同様である。このため、ここでは発光素子パネル８０の構成を説明する。
【０１０７】
＜発光素子パネル８０＞
図２１に示す第８実施形態の発光素子パネル８０は、２つの有機電界発光素子ＥＬ１，ＥＬ２と、２つのダイオードＤ１，Ｄ２を備えている。有機電界発光素子ＥＬ１，Ｅ２の構成は、第１実施形態で説明した有機電界発光素子ＥＬと同様の構成である。また２つのダイオードＤ１，Ｄ２は、第３実施形態で説明したダイオードＤ１，Ｄ２と同様の構成である。
【０１０８】
これらの有機電界発光素子ＥＬ１，ＥＬ２およびダイオードＤ１，Ｄ２は、透明電極１１上に形成された配線層によって、整流回路を構成するように接続されている。すなわち、２つの有機電界発光素子ＥＬ１，ＥＬ２間を、ダイオードＤ１，Ｄ２によって順方向に直列接続させることにより、整流回路を構成している。
【０１０９】
詳しくは、有機電界発光素子ＥＬ１のアノードと有機電界発光素子ＥＬ２のカソードとの間に、順方向にダイオードＤ１が直列に接続されている。さらに有機電界発光素子ＥＬ１のカソードと有機電界発光素子ＥＬ２のアノードとの間に順方向にダイオードＤ２が直列に接続されている。
【０１１０】
そして、有機電界発光素子ＥＬ１，ＥＬ２およびダイオードＤ１，Ｄ２の間に接続された４つの電極層が、受電電極ＥＬａ〜ＥＬｄを構成している。ここでは、給電装置１００”に設けられたホット側の給電電極１０５ａとアース側の給電電極１０５ｂとに対応する一対の受電電極が、４つの受電電極ＥＬａ〜ＥＬｄに分割されているのである。
【０１１１】
そして、有機電界発光素子ＥＬ１，ＥＬ２のアノードに接続された各電極層が受電電極ＥＬａ，ＥＬｃを構成している。さらに有機電界発光素子ＥＬ１，ＥＬ２のカソードに接続された各電極層が受電電極ＥＬｂ，ＥＬｄを構成している。ここでは、給電装置１００”に設けられたホット側の給電電極１０５ａとアース側の給電電極１０５ｂとに対応する一対の受電電極が、４つの受電電極ＥＬａ〜ＥＬｄに分割されているのである。
【０１１２】
これらの受電電極ＥＬａ〜ＥＬｄは、一方向の幅が同程度の電極層によって構成され、一方向に配列されている。その配置状態は、有機電界発光素子ＥＬ１，ＥＬ２のアノードに接続された受電電極ＥＬａ，ＥＬｃと、カソードに接続された受電電極ＥＬｂ，ＥＬｄとが、一方向に対して交互に配置された状態である。尚、図面においては、受電電極ＥＬａ〜ＥＬｄを一方向に配列した構成を図示したが、これらの受電電極ＥＬａ〜ＥＬｄは、一方向にずらして配置されていればよく、素子のレイアウトによっては、多方向にもずらして配置されていてもよい。
【０１１３】
＜給電発光システム８による給電＞
以上のような構成の発光素子パネル８０および給電装置１００”で構成された給電発光システム８における発光素子パネル８０への給電は、第６実施形態と同様に実施される。
【０１１４】
＜第８実施形態の効果＞
以上説明した第８実施形態の給電発光システム８、発光素子パネル８０、および給電装置１００”であっても、第６実施形態と同様の効果を得ることができる。
【符号の説明】
【０１１５】
１，１’，２，２’，３，４，４’，５，６，７，８…給電発光システム
１０〜８０，６０ａ〜６０ｄ，７０ａ〜７０ｄ，８０ａ〜８０ｄ…発光素子パネル
１２…透明電極
１３…有機発光機能層
１４…対向電極
１５…封止層
１６…シールド層
Ｄ１〜Ｄ４…ダイオード
ＥＬ，ＥＬ１，ＥＬ２…有機電界発光素子
ＥＬａ〜ＥＬｄ，ＥＬｂ’，ＥＬａ”，ＥＬｂ”…受電電極
１００，１００’，１００”…給電装置
１０１…交流電源
１０３…マッチング回路
１０５ａ…給電電極（ホット側電極）
１０５ｂ…給電電極（アース側電極）
【図１】
2017094816.tif 000003
【図２】
2017094816.tif 000004
【図３】
2017094816.tif 000005
【図４】
2017094816.tif 000006
【図５】
2017094816.tif 000007
【図６】
2017094816.tif 000008
【図７】
2017094816.tif 000009
【図８】
2017094816.tif 000010
【図９】
2017094816.tif 000011
【図１０】
2017094816.tif 000012
【図１１】
2017094816.tif 000013
【図１２】
2017094816.tif 000014
【図１３】
2017094816.tif 000015
【図１４】
2017094816.tif 000016
【図１５】
2017094816.tif 000017
【図１６】
2017094816.tif 000018
【図１７】
2017094816.tif 000019
【図１８】
2017094816.tif 000020
【図１９】
2017094816.tif 000021
【図２０】
2017094816.tif 000022
【図２１】
2017094816.tif 000023
【国際調査報告】
2017094816.tif 000024
2017094816.tif 000025
2017094816.tif 000026
2017094816.tif 000027